(57)【要約】【課題】店員の意に反して１つの商品が複数回登録された場合に、そのことに店員が気付き易いＰＯＳ端末装置を提供する。【解決手段】商品登録機２０は、商品が登録された場合に当該商品の登録情報を表示する店員側表示器２０５を備える。店員側表示器２０５は、直前に登録された商品と異なる商品が登録された場合には、第１表示態様で登録情報を表示し、直前に登録された商品と同一の商品が登録された場合には、第１表示態様とは異なる第２表示態様で登録情報を表示する。【選択図】図１
2018156401.tif 000002
【特許請求の範囲】
【請求項１】
商品が登録された場合に当該商品の登録情報を表示する店員側表示器を備えるＰＯＳ端
末装置であって、
前記店員側表示器は、
前記商品が新たに登録された場合には、第１表示態様で前記登録情報を表示し、前に登
録された前記商品と組み合わされると価格が変更される前記商品が登録された場合には
、前記第１表示態様とは異なる第２表示態様で前記登録情報を表示する、ＰＯＳ端末装
置。
【請求項２】
前記店員側表示器は、
前記商品が登録された場合には、前記第１表示態様として点灯状態で前記登録情報を表
示し、
前に登録された前記商品と組み合わせると価格が変更される前記商品が登録された場合
には、前記第２表示態様として点滅状態で前記登録情報を表示する、請求項１に記載のＰ
ＯＳ端末装置。
【請求項３】
前記店員側表示器は、
前記商品が登録された場合には、前記第１表示態様として第１色彩で前記登録情報を表
示し、
前に登録された前記商品と組み合わせると価格が変更される前記商品が登録された場合
には、前記第２表示態様として前記第１色彩とは異なる第２色彩で前記登録情報を表示す
る、請求項１又は２に記載のＰＯＳ端末装置。
【請求項４】
前記店員側表示器は、前記商品が登録されるたびに前記登録情報をリストアップしつつ
、前に登録された所定数の前記商品の前記登録情報をリストとして表示する、請求項１〜
３のいずれか一項に記載のＰＯＳ端末装置。
【請求項５】
前記商品が登録された場合に当該商品の前記登録情報を表示する客側表示器を更に備え
、
前記客側表示器は、
前記商品が登録された場合には、第３表示態様で前記登録情報を表示し、
前に登録された前記商品と組み合わせると価格が変更される前記商品が登録された場合
には、前記第３表示態様とは異なる第４表示態様で前記登録情報を表示する、請求項１〜
５のいずれか一項に記載のＰＯＳ端末装置。
【請求項６】
前に登録された前記商品と組み合わせると価格が変更される前記商品が登録された場合
にその旨を音声で報知する音声報知部を更に備える、請求項１〜６のいずれか一項に記載
のＰＯＳ端末装置。
【発明の詳細な説明】
【技術分野】
【０００１】
本発明は、ＰＯＳ（Point  of  Sales）端末装置に関する。
【背景技術】
【０００２】
商品が登録された場合に当該商品の登録情報を表示する店員側表示器を備えるＰＯＳ端
末装置が知られている（例えば、特許文献１参照）。このようなＰＯＳ端末装置では、例
えば商品のバーコードがスキャンされて商品が登録されるたびに、当該商品の名称、個数
、価格等の登録情報が、同一の表示態様で店員側表示器に表示される。
【先行技術文献】
【特許文献】
【０００３】
【特許文献１】特開２００６−３３０８３８号公報
【発明の概要】
【発明が解決しようとする課題】
【０００４】
上述したようなＰＯＳ端末装置では、商品が登録されるたびに、当該商品の登録情報が
同一の表示態様で店員側表示器に表示されるが、スーパーマーケットではまとめ買いをす
ると商品の単価が値引きされる（例えば、１つ１２０円の商品が３つで３００円等）こと
がある。しかしながら、まとめ買いした商品がばらばらに商品登録されると、店員にはま
とめ買いの値引きがなされたかどうか分かり難いという問題がある。
【０００５】
そこで、本発明は、まとめ買いで値引きされる商品が登録された場合に、値引きされた
ことに店員が気付き易いＰＯＳ端末装置を提供することを目的とする。
【課題を解決するための手段】
【０００６】
本発明のＰＯＳ端末装置は、商品が登録された場合に当該商品の登録情報を表示する店
員側表示器を備えるＰＯＳ端末装置であって、店員側表示器は、商品が登録された場合に
は、第１表示態様で登録情報を表示し、前に登録された商品と組み合わされると価格が変
更される商品が登録された場合には、第１表示態様とは異なる第２表示態様で登録情報を
表示する。
【０００７】
このＰＯＳ端末装置では、まとめ買いで値引きされる商品が登録された場合に、値引き
されたことに店員が気付き易い。
【０００８】
店員側表示器は、商品が登録された場合には、第１表示態様として点灯状態で登録情報
を表示し、前に登録された商品と組み合わせると価格が変更される商品が登録された場合
には、第２表示態様として点滅状態で前記登録情報を表示するしてもよい。この場合、点
滅により店員がまとめ買いで値引きされたことをより気付き易くなる。
【０００９】
店員側表示器は、商品が登録された場合には、第１表示態様として第１色彩で登録情報
を表示し、前に登録された商品と組み合わせると価格が変更される商品が登録された場合
には、第２表示態様として第１色彩とは異なる第２色彩で登録情報を表示してもよい。こ
の場合、色彩が変更されることでにより店員がまとめ買いで値引きされたことにより気付
き易くなる。
【００１０】
店員側表示器は、商品が登録されるたびに登録情報をリストアップしつつ、前に登録さ
れた所定数の商品の登録情報をリストとして表示してもよい。この場合、前に登録された
所定数の商品の登録情報がリストとして表示されている場合にも、まとめ買いで値引きさ
れたことに店員が気付き易い。
【００１１】
商品が登録された場合に当該商品の登録情報を表示する客側表示器を更に備え、客側表
示器は、商品が登録された場合には、第３表示態様で登録情報を表示し、前に登録された
前記商品と組み合わせると価格が変更される前記商品が登録された場合には、第３表示態
様とは異なる第４表示態様で登録情報を表示してもよい。この場合、まとめ買いで値引き
されたことに店員だけでなく客も気付き易い。
【００１２】
前に登録された商品と組み合わせると価格が変更される商品が登録された場合にその旨
を音声で報知する音声報知部を更に備えてもよい。この場合、まとめ買いで値引きされた
ことに店員及び客がより気付き易くなる。
【発明の効果】
【００１３】
本発明によれば、ＰＯＳ端末装置で、まとめ買いで値引きされる商品が登録された場合
に、値引きされたことに店員が気付き易い。
【図面の簡単な説明】
【００１４】
【図１】一実施形態のＰＯＳシステムの構成を示すブロック図である。
【図２】図１のＰＯＳシステムの商品登録機の構成を示すブロック図である。
【図３】図２の商品登録機の外観斜視図である。
【図４】図１のＰＯＳシステムの代金支払機の構成を示すブロック図である。
【図５】図４の代金支払機の外観斜視図である。
【図６】図１のＰＯＳシステムの動作例を示すシーケンス図である。
【図７】図３の商品登録機の店員側表示器に第１表示態様で表示される登録情報を示す図である。
【図８】図３の商品登録機の店員側表示器に第２表示態様で表示される登録情報を示す図である。
【図９】図３の商品登録機の店員側表示器に第２表示態様で表示される登録情報を示す図である。
【図１０】図３の商品登録機の客側表示器に第４表示態様で表示される登録情報を示す図である
【発明を実施するための形態】
【００１５】
以下、本発明の実施形態について、図面を参照して詳細に説明する。なお、各図におい
て同一又は相当部分には同一符号を付し、重複する説明を省略する。
［ＰＯＳシステムの構成］
【００１６】
図１に示されるように、ＰＯＳシステム１は、ストアコントローラ１０と、複数の商品
登録機（ＰＯＳ端末装置）２０と、複数の代金支払機３０と、を備えている。ストアコン
トローラ１０、各商品登録機２０及び各代金支払機３０は、有線又は無線のＬＡＮ（Loca
l  Area  Network）２によって相互に接続されている。ＰＯＳシステム１は、スーパーマ
ーケット等の店舗に構築されたＰＯＳシステムである。ＰＯＳシステム１は、一例として
、セミオート式のＰＯＳシステムである。つまり、ＰＯＳシステム１において、各商品登
録機２０は、店員によって操作され、商品の登録処理を実行し、各代金支払機３０は、客
によって操作され、登録処理の実行によって生成された代金データに基づいて代金の支払
処理を実行する。なお、店員は、ＰＯＳシステム１が導入されている店舗の従業者等及び
使用者等を含み、広義には、当該店舗の関係業者を含む。客とは、商品を購入する及び／
又は購入した者を含み、広義には、店舗に対して代金の授受を行う及び／又は行った者を
含む。
［ストアコントローラ］
【００１７】
ストアコントローラ１０は、ＰＯＳシステム１を制御するコンピュータであり、商品マ
スタ等の種々の情報を管理する。ストアコントローラ１０は、各商品登録機２０及び各代
金支払機３０と通信可能であり、各商品登録機２０及び各代金支払機３０に商品マスタを
適宜送信する。商品マスタとは、各商品についての商品情報（商品の識別情報、並びに、
商品名称及び販売価格に関する情報等）を格納したファイルである。商品マスタは、適宜
更新される。
［商品登録機］
【００１８】
図２に示されるように、商品登録機２０は、ＣＰＵ（Central  Processing  Unit）２
０１と、ＲＯＭ（Read  Only  Memory）２０２と、ＲＡＭ（Random  Access  Memory）２
０３と、スキャナ２０４と、店員側表示器２０５と、客側表示器２０６と、操作部２０７
と、通信部２０８と、スピーカ（音声報知部）２０９と、印刷部２１０と、を備えている
。これらは、バス２１５によって相互に接続されている。なお、商品登録機２０の外観は
、図３に示されるとおりである。
【００１９】
ＣＰＵ２０１は、ＲＯＭ２０２に記憶されているプログラムを読み出して実行すること
により、商品登録機２０の動作を制御する。ＲＯＭ２０２は、商品登録機２０の動作を制
御するためのプログラムを記憶している。ＲＡＭ２０３は、ストアコントローラ１０から
送信された商品マスタ、スキャナ２０４によって読み取られたバーコード（商品コード）
に基づいて商品マスタから取得された商品情報、及び操作履歴に関する情報等を随時記憶
する。
【００２０】
スキャナ２０４は、商品に付されているバーコード等を光学的に読み取る。店員側表示
器２０５は、店員に対し、スキャナ２０４によって読み取られたバーコードに対応する商
品名称及び販売価格等を表示する。客側表示器２０６は、客に対し、スキャナ２０４によ
って読み取られたバーコードに対応する商品名称及び販売価格等を表示する。なお、店員
側表示器２０５及び客側表示器２０６は、タッチパネルを構成することで、操作部として
も機能する。
【００２１】
操作部２０７は、商品登録機２０を動作させるための各種の操作ボタン（小計キー、現
計キー、置数キー、訂正キー及びプリセットキー等）を有している。通信部２０８は、Ｌ
ＡＮ２を介して他の機器と通信を行う。スピーカ２０９は、商品登録機２０の操作音、及
び各種の音声等を出力する。印刷部２１０は、適宜、各種の文字等を紙片に印刷して当該
紙片を発行する。
【００２２】
以上のように構成された商品登録機２０においては、店員による操作の下、客が購入し
ようとしている商品に付されたバーコードがスキャナ２０４によって読み取られると、Ｃ
ＰＵ２０１によって商品マスタから商品情報が取得されて商品データが生成される（登録
処理の実行）。商品登録機２０では、１つの商品が登録されるたびに、当該商品の登録情
報が店員側表示器２０５及び客側表示器２０６に表示される。登録情報は、生成された商
品データの内容を示す情報である。登録情報には、スキャナ２０４によってバーコードが
読み取られた商品についての商品名称及び単価等に関する情報が含まれている。
【００２３】
ＣＰＵ２０１は、操作部２０７の現計キーが押下されると、全ての商品データを纏めた
代金データを生成する。通信部２０８は、生成された代金データを代金支払機３０に送信
する。代金データには、客が購入しようとしている全ての商品についての単価及び数量、
並びに、合計金額等に関する情報が含まれている。
【００２４】
そして、生成された代金データがいずれか１つの代金支払機３０によって取得されると
、客に対し、複数の代金支払機３０のうち代金データを取得した代金支払機３０（すなわ
ち、客が代金の支払いを行うべき代金支払機３０）が報知される。商品登録機２０では、
客側表示器２０６及び印刷部２１０が報知部として機能する。具体的には、客側表示器２
０６は、例えば、各代金支払機３０に付された識別番号のうち、代金データを取得した代
金支払機３０の識別番号を表示する。印刷部２１０は、代金データを取得した代金支払機
３０の識別番号、及び代金データの識別情報を示すバーコード等を紙片に印刷して、当該
紙片（会計券）を発行する。
［代金支払機］
【００２５】
図４に示されるように、代金支払機３０は、ＣＰＵ３０１と、ＲＯＭ３０２と、ＲＡＭ
３０３と、スキャナ３０４と、客側表示器３０５と、操作部３０７と、通信部３０８と、
スピーカ３０９と、印刷部３１０と、決済部３１１と、サインポール３１２と、人感知セ
ンサ３１３と、カメラ３１４と、を備えている。これらは、バス３１５によって相互に接
続されている。なお、代金支払機３０の外観は、図５に示されるとおりである。
【００２６】
ＣＰＵ３０１は、ＲＯＭ３０２に記憶されているプログラムを読み出して実行すること
により、代金支払機３０の動作を制御する。ＲＯＭ３０２は、代金支払機３０の動作を制
御するためのプログラムを記憶している。ＲＡＭ３０３は、ストアコントローラ１０から
送信された商品マスタ、及び操作履歴に関する情報等を随時記憶する。
【００２７】
スキャナ３０４は、会計券に印刷されたバーコード等を光学的に読み取る。客側表示器
３０５は、客に対し、客が代金の支払いを行うための操作手順等を表示する。なお、客側
表示器３０５は、タッチパネルを構成することで、操作部としても機能する。
【００２８】
操作部３０７は、代金支払機３０を動作させるための各種の操作ボタン（訂正キー及び
プリセットキー等）を有している。通信部３０８は、ＬＡＮ２を介して他の機器と通信を
行う。スピーカ３０９は、代金支払機３０の操作音、及び各種の音声等を出力する。印刷
部３１０は、客が代金の支払いを行った際に、客に対し、購入した商品の一覧、各商品の
金額、合計金額、受領金額及び釣り金額等を紙片に印刷して当該紙片（レシート）を発行
する。
【００２９】
決済部３１１は、紙幣投入兼排出口３１１ａ、硬貨投入口３１１ｂ、硬貨排出口３１１
ｃ、クレジットカード投入兼排出口３１１ｄ及び電子マネーリーダ３１１ｅ、並びに、そ
れらを制御する制御部（図示省略）を有している。紙幣投入兼排出口３１１ａ、硬貨投入
口３１１ｂ及び硬貨排出口３１１ｃは、現金決済部として機能する。客は、紙幣投入兼排
出口３１１ａ等の現金決済部を介した現金での代金の支払い、クレジットカードリーダを
介したクレジットカードでの代金の支払い、及び電子マネーリーダを介した電子マネーで
の代金の支払いの少なくとも１つを選択することができる。
【００３０】
サインポール３１２は、複数色の表示灯を点灯又は点滅させることで、客が代金の支払
いを行うための操作の実施が可能であること、及び何らかの異常が発生していること等を
報知する。人感知センサ３１３は、代金支払機３０前の所定領域内に存在する客等を検知
する。カメラ３１４は、代金支払機３０前の所定領域内に存在する客等を撮像する。
【００３１】
以上のように構成された代金支払機３０においては、登録処理の実行によって生成され
た代金データがＣＰＵ３０１によって取得されると、客に対し、代金データを取得した代
金支払機３０（すなわち、客が代金の支払いを行うべき代金支払機３０）が自機であるこ
とが報知される。代金支払機３０では、客側表示器３０５による文字等の表示、スピーカ
３０９による音声の出力、及びサインポール３１２による表示灯の点灯等の少なくとも１
つによって、代金データを取得した代金支払機３０が自機であることが報知される。
【００３２】
客は、商品登録機２０による報知、及び代金データを取得した代金支払機３０による報
知に従って、代金データを取得した代金支払機３０に向かう。そして、代金支払機３０前
の所定領域内に入った客が人感知センサ３１３によって検知されると、客が代金の支払い
を行うための操作手順の表示が客側表示器３０５によって開始される。このとき、操作手
順を示す音声の出力もスピーカ３０９によって開始される。なお、客側表示器３０５の画
面が客によってタッチされたとき、操作部３０７の何らかのボタンが客によって押下され
たとき、及び代金支払機３０前の所定領域内に入った客がカメラ３１４によって撮像され
たときのいずれかのときに、操作手順の表示が客側表示器３０５によって開始されると共
に、操作手順を示す音声の出力がスピーカ３０９によって開始されてもよい。
【００３３】
客は、客側表示器３０５による表示、及びスピーカ３０９による音声の出力に従って、
操作部３０７、及びタッチパネルを構成する客側表示器３０５を介して代金支払機３０を
操作し、代金の支払いを行う。一例としては、客が、商品登録機２０において発行された
会計券に印刷されたバーコードをスキャナ３０４に読み取らせると、決済種別を選択する
ための選択画面が客側表示器３０５によって表示される。客は、客側表示器３０５におい
て、現金、クレジットカード及び電子マネーのいずれかの決済種別、又は併用する複数の
決済種別を選択し、決済部３１１において、選択した決済種別での支払いを行う。客によ
って代金の支払いが行われると、購入した商品の一覧等が印刷されたレシートが印刷部３
１０によって発行される。
［ＰＯＳシステムの動作例］
【００３４】
上述したＰＯＳシステム１の動作例について、図６を参照しつつ説明する。ここでは、
複数の商品登録機２０のうち１台の商品登録機２０Ａに着目する。前提として、商品登録
機２０Ａは、複数の代金支払機３０のうち３台の代金支払機３０Ａ，３０Ｂ，３０Ｃに対
して代金データの取得を許可しているものとする。
【００３５】
まず、客が購入しようとしている商品について、店員が商品登録機２０Ａの操作（客が
購入しようとしている商品に付されたバーコードをスキャナ２０４に読み取らせる操作等
）を開始させると、商品登録機２０Ａは、商品の登録処理を開始させる（ステップＳ０１
）。当該登録処理が終了すると（ステップＳ０２）、商品登録機２０Ａは、当該登録処理
の実行によって生成された代金データに、代金データの取得を許可した代金支払機３０Ａ
，３０Ｂ，３０Ｃを示す情報を付加して、当該代金データをストアコントローラ１０に送
信する（ステップＳ０３）。ストアコントローラ１０は、当該代金データを受信して（ス
テップＳ０４）、保存する。
【００３６】
このとき、代金支払機３０Ａにおいては、他の客による代金の支払いが行われていない
ため、代金支払機３０Ａは、ストアコントローラ１０に対して代金データの取得処理を実
行している。具体的には、代金支払機３０Ａは、自機を示す情報が付加された代金データ
がストアコントローラ１０に保存されているか否かを監視し、当該代金データが保存され
ていた場合には、ストアコントローラ１０に当該代金データの送信を要求する。一方、代
金支払機３０Ｂ，３０Ｃにおいては、他の客による代金の支払いが行われているため、代
金支払機３０Ｂ，３０Ｃは、ストアコントローラ１０に対して代金データの取得処理を実
行しておらず、従前（ステップＳ０５，Ｓ０６）に開始させた代金の支払処理を実行して
いる。
【００３７】
そして、ストアコントローラ１０は、代金支払機３０Ａによる要求に従って、商品登録
機２０Ａにおいて生成された代金データを代金支払機３０Ａに送信する（ステップＳ０７
）。代金支払機３０Ａは、ストアコントローラ１０から送信された代金データを受信する
と（ステップＳ０８）、当該代金データの取得を完了した旨を示す情報を商品登録機２０
Ａに送信する。商品登録機２０Ａは、代金支払機３０Ａから受信した情報に基づいて、代
金データを取得した代金支払機３０（すなわち、客が代金の支払いを行うべき代金支払機
３０）が代金支払機３０Ａであることを客に報知する。代金支払機３０Ａは、代金データ
を取得した代金支払機３０（すなわち、客が代金の支払いを行うべき代金支払機３０）が
自機であることを客に報知する。
【００３８】
そして、商品登録機２０Ａ及び代金支払機３０Ａによる報知に従って代金支払機３０Ａ
に案内された客が代金支払機３０Ａの操作を開始させると、代金支払機３０Ａは、商品登
録機２０Ａにおいて生成された代金データに基づく代金の支払処理を開始させる（ステッ
プＳ０９）。
【００３９】
商品登録機２０Ａは、生成した代金データをストアコントローラ１０に送信した時点（
ステップＳ０３）で、新たな登録処理を実行することが可能である。そのため、次の客が
購入しようとしている商品について、店員が商品登録機２０Ａの操作を開始させると、商
品登録機２０Ａは、新たな商品の登録処理を開始させる（ステップＳ１１）。当該登録処
理が終了すると（ステップＳ１２）、商品登録機２０Ａは、当該登録処理の実行によって
生成された代金データに、対応付けられた代金支払機３０Ａ，３０Ｂ，３０Ｃを示す情報
を付加して、当該代金データをストアコントローラ１０に送信する（ステップＳ１３）。
ストアコントローラ１０は、当該代金データを受信して（ステップＳ１４）、保存する。
【００４０】
このとき、代金支払機３０Ａにおいては、前の客による代金の支払いが行われているた
め、代金支払機３０Ａは、ストアコントローラ１０に対して代金データの取得処理を実行
しておらず、従前（ステップＳ０９）に開始させた代金の支払処理を実行している。一方
、代金支払機３０Ｂ，３０Ｃにおいては、従前（ステップＳ０５，Ｓ０６）に開始させた
代金の支払処理が終了しているため（ステップＳ１５，Ｓ１６）、代金支払機３０Ｂ，３
０Ｃは、ストアコントローラ１０に対して代金データの取得処理を実行している。
【００４１】
そして、ストアコントローラ１０は、代金支払機３０Ｂ，３０Ｃによる要求のうち代金
支払機３０Ｂによる要求に従って、商品登録機２０Ａにおいて生成された代金データを代
金支払機３０Ｂに送信する（ステップＳ１７）。代金支払機３０Ｂは、ストアコントロー
ラ１０から送信された代金データを受信すると（ステップＳ１８）、当該代金データの取
得を完了した旨を示す情報を商品登録機２０Ａに送信する。
【００４２】
なお、ステップＳ１７において、ストアコントローラ１０が、代金支払機３０Ｂ，３０
Ｃによる要求のうち代金支払機３０Ｂによる要求に従ったのは、予め定められた優先順位
によるものである。ＰＯＳシステム１では、例えば、複数の代金支払機３０による要求が
重なった場合には、商品登録機２０に近い代金支払機３０による要求にストアコントロー
ラ１０が従うというように、予め優先順位が定められている。
【００４３】
商品登録機２０Ａは、代金支払機３０Ｂから受信した情報に基づいて、代金データを取
得した代金支払機３０（すなわち、客が代金の支払いを行うべき代金支払機３０）が代金
支払機３０Ｂであることを客に報知する。代金支払機３０Ｂは、代金データを取得した代
金支払機３０（すなわち、客が代金の支払いを行うべき代金支払機３０）が自機であるこ
とを客に報知する。客は、商品登録機２０Ａ及び代金支払機３０Ｂによる報知に従って代
金支払機３０Ｂに向かい、代金支払機３０Ｂにおいて代金の支払を行う。
【００４４】
そして、商品登録機２０Ａ及び代金支払機３０Ｂによる報知に従って代金支払機３０Ｂ
に案内された客が代金支払機３０Ｂの操作を開始させると、代金支払機３０Ｂは、商品登
録機２０Ａにおいて生成された代金データに基づく代金の支払処理を開始させる。
［登録情報の表示態様］
【００４５】
店員側表示器２０５及び客側表示器２０６における登録情報の表示態様について、図７
〜図１３を参照しつつ、具体的に説明する。図７には、「台湾バナナ」から「ほうれん草
」までの７つの商品が登録された後に、直前に登録された商品と異なる「新たまねぎ」が
新たに登録された結果、直近に登録された８つの商品の登録情報がリストＬ１として店員
側表示器２０５に表示されている状態が示されている。ここで、組み合わせると価格が変
更される商品として、「新たまねぎ」は１つだけ購入する場合の単価は１９８円であるが
、２つまとめて購入する場合には２つで３００円となる場合を例とする。
【００４６】
商品の登録処理においては、商品登録機２０の店員側表示器２０５及び客側表示器２０
６には、１つの商品が登録されるたびに、当該商品の登録情報が表示される。店員側表示
器２０５及び客側表示器２０６には、商品が登録されるたびに登録情報がリストアップさ
れつつ、直近に登録された所定数の商品の登録情報がリストとして表示される。直近に登
録された商品とは、現在登録しようとしている商品の前にすでに登録処理が連続して実行
された複数の商品、又は、現在登録しようとしている商品の前にすでに登録処理が実行さ
れた１つの商品を意味する。
【００４７】
店員側表示器２０５には、商品が新たに登録された場合には、商品の登録情報が第１表
示態様（例えば点灯状態）で表示される。点灯状態とは、例えば、新たに登録された商品
の登録情報が表示される店員側表示器２０５における領域２０５ａ内の輝度が、経時的に
変化されない態様で表示されている状態である。
【００４８】
例えば、図７に示されるように、新たな商品が１つ登録されるたびに店員側表示器２０
５のリストＬ１の最下段に登録情報が追加されるように、登録情報がリストアップされて
いる。図７の例では、新たに登録された「新たまねぎ」の登録情報が第１表示態様（ここ
では点灯状態）で店員側表示器２０５に表示されている。なお、図７の例では、「新たま
ねぎ」の登録情報が第１色彩で店員側表示器２０５に表示されている。図中においては、
第１色彩は、便宜的に右上がりの実線ハッチングによって示されている。
【００４９】
次に、図８には、「台湾バナナ」から「新たまねぎ」までの８つの商品が登録された後
に、組み合わせると価格が変更される商品である「新たまねぎ」が新たに登録された結果
、登録された９つの商品の登録情報がリストＬ２として店員側表示器２０５に表示されて
いる状態が示されている。
【００５０】
店員側表示器２０５には、組み合わせると価格が変更される商品が登録された場合には
、組み合わせると価格が変更される商品の登録情報が第１表示態様とは異なる第２表示態
様（例えば点滅状態）で表示される。点滅状態とは、例えば、組み合わせると価格が変更
される商品の登録情報が表示される領域２０５ａ内の輝度が、所定の周期で周期的に変化
される態様で表示されている状態である。
【００５１】
本実施形態では、図８に示されるように、新たに登録された「新たまねぎ」の登録情報
が、第１表示態様とは異なる第２表示態様（ここでは点滅状態）で表示される。これによ
り、組み合わせると価格が変更される商品が登録され、価格が変更されたことが店員に気
付き易くなる。なお、組み合わせると価格が変更される商品が登録された場合には、店員
側表示器２０５によって上述したような表示態様で登録情報が表示されることに加え、ス
ピーカ２０９によってその旨が音声で報知されてもよい。
【００５２】
次に、図９には、「台湾バナナ」から「カリカリポテト」までの９つの商品が登録され
た後に組み合わせると価格が変更される商品である「新たまねぎ」の２つ目が登録され、
１０個の商品の登録情報がリストＬ３として店員側表示器２０５に表示されている状態が
示されている。
【００５３】
図１０では、客側表示器２０６には、新たに商品が登録された場合には、当該商品の登
録情報が第３表示態様（例えば点灯状態）で表示される。客側表示器２０６には、組み合
わせると価格が変更される商品が登録された場合には、当該商品の登録情報が第３表示態
様とは異なる第４表示態様（例えば点滅状態）で表示される。
【００５４】
第３表示態様は、第１表示態様と互いに対応している。例えば、第３表示態様は、店員
側表示器２０５と客側表示器２０６との構成上の違いに応じて、第１表示態様に対して相
似変形等の寸法の変化等を伴うものであってもよい。第４表示態様は、第２表示態様と互
いに対応している。例えば、第４表示態様は、店員側表示器２０５と客側表示器２０６と
の構成上の違いに応じて、第２表示態様に対して相似変形等の寸法の変化等を伴うもので
あってもよい。
【００５５】
図１０の例では、「新たまねぎ」の登録情報が、第４表示態様で客側表示器２０６に表
示されている。一方、新たに登録された「カリカリポテト」の登録情報が、リストＬ４の
最下段に追加されると共に、第３表示態様で客側表示器２０６に表示されている。すなわ
ち、客側表示器２０６では、直前に登録された商品と異なる商品が登録された場合には、
第３表示態様（ここでは点灯状態）で登録情報が表示され、直前に登録された商品と同一
の商品が登録された場合には、第３表示態様とは異なる第４表示態様（ここでは点滅状態
）で登録情報が表示されている。
【００５６】
なお、商品登録機２０では、例えば店員がその意に反して１つの「新たまねぎ」のバー
コードをスキャナ２０４によって連続して２回読み取った場合、店員による操作の下、生
成した商品データの訂正を行える。本実施形態では、図８及び図９に示されるように、新
たに登録された商品が「直前に登録された商品と同一の商品」である場合、新たに登録さ
れた商品の登録情報が表示される領域２０５ａに隣接するように配置されたボタン２０５
ｂを店員が押すことで、商品データの訂正を行える。
［作用及び効果］
【００５７】
このＰＯＳシステム１では、組み合わせると価格が変更される商品が登録されると、第
１表示態様とは異なる第２表示態様で登録情報が表示される。そのため、店員が組み合わ
せると価格が変更される商品が登録されたことに店員が気付き易い。
【００５８】
また、ＰＯＳシステム１は、商品が登録された場合に当該商品の登録情報を表示する客
側表示器２０６を備えている。客側表示器２０６は、組み合わせると価格が変更される商
品の１つ目が登録された場合には、第３表示態様で登録情報を表示する。客側表示器２０
６は、組み合わせると価格が変更される商品の２つ目が登録された場合には、第３表示態
様とは異なる第４表示態様で登録情報を表示する。これにより、組み合わせると価格が変
更される商品が登録されたことに客も気付き易い。
【００５９】
ＰＯＳシステム１は、組み合わせると価格が変更される商品が登録された場合にその旨
を音声で報知するスピーカ２０９を備えている。これにより、組み合わせると価格が変更
される商品が登録されたことに店員がより気付き易くなる。
［変形例］
【００６０】
本発明は、上記実施形態に限定されない。
【００６１】
上記実施形態では、店員側表示器２０５は、直前に登録された商品と異なる商品が登録
された場合には、第１表示態様として点灯状態で登録情報を表示し、直前に登録された商
品と同一の商品が登録された場合には、第２表示態様として点滅状態で登録情報を表示し
たが、第１表示態様及び第２表示態様は、これに限定されない。
【００６２】
例えば、店員側表示器２０５は、新たな商品が登録された場合には、第１表示態様とし
て第１色彩で登録情報を表示し、組み合わせると価格が変更される商品が登録された場合
には、第２表示態様として第１色彩とは異なる第２色彩で登録情報を表示してもよい。こ
の場合においても、組み合わせると価格が変更される商品が登録されたことに店員がより
気付き易くなる。
【００６３】
「第１色彩で登録情報を表示」とは、例えば、新たに登録された商品の登録情報が表示
される領域２０５ａ内の色彩を第１色彩とする態様で、当該登録情報を表示することを意
味する。第１色彩としては、領域２０５ａ以外の背景の色彩及びリストを形成する線の色
彩以外の色彩であれば、任意に選択可能である。第１色彩は、例えば水色であってもよい
。
【００６４】
「第２色彩で登録情報を表示」とは、例えば、組み合わせると価格が変更される商品の
登録情報が表示される領域２０５ａ内の色彩を第２色彩とする態様で、当該登録情報を表
示することを意味する。第２色彩としては、第１色彩とは異なる色彩であって、領域２０
５ａ以外の背景の色彩及びリストを形成する線の色彩以外の色彩であれば、任意に選択可
能である。第２色彩は、第１色彩よりも鮮やかな色彩であってもよい。第２色彩は、例え
ば黄色であってもよい。
【００６５】
つまり、店員側表示器２０５では、組み合わせると価格が変更される商品が登録された
場合には、第１表示態様とは異なる第２表示態様で登録情報が表示されればよい。
【００６６】
また、上記実施形態では、商品登録機２０において生成された代金データをストアコン
トローラ１０が保存したが、当該代金データを商品登録機２０が保存するようにしてもよ
い。その場合、各代金支払機３０は、ストアコントローラ１０に対してではなく、商品登
録機２０に対して代金データの取得処理を実行する。
【００６７】
また、上記実施形態では、ストアコントローラ１０がＰＯＳシステム１における上位装
置として代金データを保存したが、代金データを保存する機能を有していれば、ＰＯＳシ
ステム１における上位装置として他の装置を用いることができる。
【００６８】
また、上記実施形態では、商品登録機２０が代金データを生成したが、商品登録機２０
によって実行された商品の登録処理に基づいてストアコントローラ１０又は代金支払機３
０が代金データを生成するようにしてもよい。
【００６９】
上記実施形態では、本発明に係るＰＯＳ端末装置として、セミオート式のＰＯＳシステ
ムであるＰＯＳシステム１の商品登録機２０を例示したが、本発明は、これに限定されな
い。例えば、本発明は、商品登録機２０及び代金支払機３０が一体的に構成された対面式
のＰＯＳ端末装置に適用されてもよい。
【００７０】
上記実施形態では、組み合わせると価格が変更される商品として、「新たまねぎ」を２
つまとめて購入する場合を例示したが、「新たまねぎ」と「じゃがいも」のように異なる
種類を組み合わせる場合でもよく、また、組み合わせる個数は２つでなく３つ、４つなど
任意の数でもよい。
【符号の説明】
【００７１】
１…ＰＯＳシステム、２０…商品登録機（ＰＯＳ端末装置）、３０…代金支払機、２０
５…店員側表示器、２０６…客側表示器、２０９…スピーカ（音声報知部）、Ｌ１〜Ｌ４
…リスト。
【図１】
2018156401.tif 000003
【図２】
2018156401.tif 000004
【図３】
2018156401.tif 000005
【図４】
2018156401.tif 000006
【図５】
2018156401.tif 000007
【図６】
2018156401.tif 000008
【図７】
2018156401.tif 000009
【図８】
2018156401.tif 000010
【図９】
2018156401.tif 000011
【図１０】
2018156401.tif 000012